(57)【特許請求の範囲】
【請求項１】
入力デジタル信号列を直並列変換してＮ個(Ｎ≧２)の並列複素シンボルに対応するアナログ信号をそれぞれ出力するＮ個のＤＡ変換器と、当該Ｎ個のＤＡ変換器から得られたＮ個のアナログ信号を直交変調して、Ｎ個のＲＦ信号を生成するＮ個の直交変調ミクサと、
前記直交変調ミクサによって直交変調されたＮ個のＲＦ信号を、個別にＮ個のシンボルのそれぞれに対応し、且つ、サブキャリアの周波数に対応させて増幅するＮ個のＲＦ増幅器と
を備え、
直並列変換によって得られる各並列複素シンボルの夫々に対して割り当てる個別の周波数を、シンボル周期Ｔの逆数で定義される基本周波数f0(=1/T)の整数倍でなる周波数fk=kf0（kは整数）とする信号処理回路を備えるマルチキャリア通信を行なう送信機を有することを特徴とする無線通信システム。
【請求項２】
請求項１に記載の無線通信システムにおいて、
前記複数の直交変調ミクサにより、並列複素シンボルを位相回転させて相互に直交させた複素デジタル信号標本列から得た夫々のアナログ信号を、共通の局発信号を使用して夫々のＲＦ信号に変調することを特徴とする無線通信システム。
【請求項３】
請求項１又は２に記載の無線通信システムにおいて、
各ＲＦ増幅器で増幅されたＲＦ信号の一部または全てを合成する少なくとも１つの電力合成器を備えることを特徴とする無線通信システム。
【請求項４】
請求項１ないし３の何れか一項に記載の無線通信システムにおいて、
前記信号処理回路と前記複数のＤＡ変換器との間に、各複素デジタル信号標本列のそれぞれに対してガードインターバルを与えるガードインターバル回路を備えることを特徴とする無線通信システム。
【請求項５】
請求項４記載の無線通信システムにおいて、
前記ガードインターバル回路と前記複数のＤＡ変換器との間に、各複素デジタル信号標本列のそれぞれに対してウインドウイング処理を行うウインドウイング処理回路を備えることを特徴とする無線通信システム。
【請求項６】
請求項１ないし５の何れか一項に記載の無線通信システムにおいて、
入力デジタル信号列を直並列変換した後、前記複数のＤＡ変換器に入力する前に帯域を制限するフィルタを備えることを特徴とする無線通信システム。
【請求項７】
請求項１ないし６の何れか一項に記載の無線通信システムにおいて、
前記信号処理回路は、
複数の異なる方式に対応する複数種類の複素デジタル信号標本列をそれぞれ生成できると共に、
入力された制御信号に基づいて、前記複数種類の複素デジタル信号標本列の中から、選択された複素デジタル信号標本列を生成する
ことを特徴とする無線通信システム。
【請求項８】
入力デジタル信号列を複素シンボル列に変換するシンボルマッパと、
生成された複素シンボルの列をＮ個の並列複素シンボル（但し、Ｎ≧２）へと変換する直並列変換器と、
前記Ｎ個の並列複素シンボルのそれぞれに対してＮ種類の個別の周波数を割り当てる周波数マッパと、
前記周波数を割り当てられたＮ個の並列複素シンボルそれぞれに対して、割り当てられた周波数に対応して位相回転を与えてＮ個の複素デジタル信号標本列を生成するデジタル信号処理回路と、
生成して位相回転を与えられた前記Ｎ個の複素デジタル信号標本列のそれぞれを、複素アナログ信号へと変換するＮ個のＤＡ変換器と、
それぞれの複素アナログ信号から実数の直交変調されたＭ個のＲＦ信号を生成するＮ個の直交変調ミクサと、
前記Ｎ個の直交変調ミクサに供給する局発信号を与える局発発振器と、
直交変調された前記Ｎ個のＲＦ信号のそれぞれを個別に増幅するＮ個のＲＦ増幅器と、
増幅されたそれぞれのＲＦ信号を空中に送出するアンテナと
を備えて構成された送信機を有し、
更に、前記直並列変換器によって得られる各並列複素シンボルの夫々に対して割り当てる個別の周波数は、シンボル周期Ｔの逆数で定義される基本周波数f0(=1/T)の整数倍でなる周波数fk=kf0（kは整数）である
ことを特徴とする無線通信システム。
【請求項９】
入力デジタル信号列を複素シンボル列に変換すると共に生成された複素シンボルの列を直並列変換して得られたＮ個(Ｎ≧２)の並列複素シンボルをＮ個のＤＡ変換器に入力することによって得られた夫々のアナログ信号を、直交変調されたＲＦ信号に変調するＮ個の直交変調ミクサと、
前記Ｎ個の直交変調ミクサによって直交変調されたＮ個のＲＦ信号を、個別にサブキャリアの周波数に対応させて増幅するＮ個のＲＦ増幅器を備え、
前記直並列変換によって得られる各並列複素シンボルの夫々に対して割り当てる個別の周波数は、シンボル周期Ｔの逆数で定義される基本周波数f0(=1/T)の整数倍でなる周波数fk=kf0（kは整数）とする信号処理回路を有することを特徴とするマルチキャリア通信を行なう送信機。
【請求項１０】
請求項９に記載の送信機において、
前記複数の直交変調ミクサで用いられる共通の局発信号を生成する共通局発発振器を有することを特徴とする送信機。
【請求項１１】
請求項９又は１０に記載の送信機において、
各ＲＦ増幅器で増幅されたＲＦ信号の一部または全てを合成する少なくとも１つの電力合成器を備えることを特徴とする送信機。
【請求項１２】
請求項９ないし１１の何れか一項に記載の送信機において、
前記信号処理回路と前記Ｎ個のＤＡ変換器との間に、各複素デジタル信号標本列のそれぞれに対してガードインターバルを与えるガードインターバル生成回路を備えることを特徴とする送信機。
【請求項１３】
請求項１２記載の送信機において、
前記ガードインターバル生成回路と前記Ｎ個のＤＡ変換器との間に、各複素デジタル信号標本列のそれぞれに対してウインドウイング処理を行うウインドウイング処理回路を備えることを特徴とする送信機。
【請求項１４】
請求項９ないし１３の何れか一項に記載の送信機において、
入力デジタル信号列を直並列変換した後にであって前記Ｎ個のＤＡ変換器に入力する前に帯域を制限するフィルタを備えることを特徴とする送信機。
【請求項１５】
請求項９ないし１４の何れか一項に記載の送信機において、
前記信号処理回路は、
複数の異なる方式に対応する複数種類の複素デジタル信号標本列をそれぞれ生成できると共に、
入力された制御信号に基づいて、前記複数種類の複素デジタル信号標本列の中から、選択された複素デジタル信号標本列を生成する
ことを特徴とする送信機。
【請求項１６】
入力デジタル信号列をシンボル変換、直並列変換およびアナログ変換を行い得られた夫々のアナログ信号を、並列複素シンボルの数Ｎ個(Ｎ≧２)に等しい数の直交変調ミクサを用いて直交変調されたＮ個のＲＦ信号に変調し、
前記Ｎ個のＲＦ信号の夫々を、個々に独立したＮ個のＲＦ増幅器を用いて、個別にサブキャリアの周波数に対応させて増幅し、
前記独立して個別に増幅した夫々のＲＦ信号を、アンテナを用いて空中に送出すると共に、
前記直並列変換によって得られる各並列複素シンボルの夫々に対して割り当てる個別の周波数を、シンボル周期Ｔの逆数で定義される基本周波数f0(=1/T)の整数倍でなる周波数fk=kf0（kは整数）とする
ことを特徴とするマルチキャリア通信方法。
【請求項１７】
請求項１６に記載のマルチキャリア通信方法において、
シンボル変換および直並列変換により、相互に直交させた複素デジタル信号標本列をアナログ変換して得た夫々のアナログ信号を、共通の局発信号を使用して夫々のＲＦ信号に変調する
ことを特徴とするマルチキャリア通信方法。
【請求項１８】
請求項１６ないし１７の何れか一項に記載のマルチキャリア通信方法において、
直並列変換後アナログ変換前に、サブキャリアの周波数帯域に基づくフィルタ処理を行うと共に、
アナログ変換前に、各複素デジタル信号標本列のそれぞれに対してガードインターバルを加え、
前記ガードインターバルを加えた各複素デジタル信号標本列のそれぞれに対してウインドウイング処理を加え、
且つ、前記複数のＲＦ増幅器で増幅されたＲＦ信号の一部または全てを電力合成し、
合成したＲＦ信号を、アンテナを用いて空中に送出する
ことを特徴とするマルチキャリア通信方法。
【請求項１９】
請求項１６ないし１８の何れか一項に記載のマルチキャリア通信方法において、
直並列変換により、相互に直交する並列デジタル信号を生成する複数種類の方式に対応すると共に、
入力される制御信号に従って、相互に直交する並列デジタル信号を生成する複数種類の方式の中からいずれか一つを選択する制御部を備え、
前記制御部に入力される前記制御信号に基づいて、選択された並列デジタル信号を生成し、
当該直交している並列デジタル信号を、夫々ＲＦ信号に変調すると共に個別に増幅し、
アンテナを用いて空中に送出する
ことを特徴とするマルチキャリア通信方法。
【発明の詳細な説明】
【技術分野】
【０００１】
本発明は、ＯＦＤＭ（Ｏｒｔｈｏｇｏｎａｌ  Ｆｒｅｑｕｅｎｃｙ  Ｄｏｍａｉｎ  Ｍｏｄｕｌａｔｉｏｎ）など周波数利用効率が高いマルチキャリアを使用する高速無線通信システムに関し、詳しくは電力効率が高いＲＦ増幅器を用いる送信機に関する。
【背景技術】
【０００２】
ＯＦＤＭ無線通信システムは、現在、無線ＬＡＮ（ｗｉｒｅｌｅｓｓ  Ｌｏｃａｌ  Ａｒｉａ  Ｎｅｔｗｏｒｋ）などにおいて使用されており、高速な無線通信を実現する方式の１つである。
既存のＯＦＤＭ無線通信システムに用いる送信機の一般的な構成は、例えば非特許文献１に記載されている。非特許文献１に示されたＯＦＤＭ無線通信システムに用いる送信機を図１０に示す。
図１０の送信機において、入力デジタル信号列ｔ｛Ｄ｝はシンボルマッパ１００および直並列変換器１０１により、並列複素シンボル列｛Ｓ｝に変換される。並列複素シンボル列｛Ｓ｝は、周波数マッパ１０２、逆離散フーリエ変換器１０３および並直列変換器１０４によりマトリクス計算処理される。その結果、複素ＯＦＤＭシンボル標本値列ｔ｛Ｖ｝が生成される。複素ＯＦＤＭシンボル標本値列ｔ｛Ｖ｝は、ガードインターバル回路１０５により適切なガードインターバルを付加され、さらにＤＡ変換器１０６によって複素アナログＯＦＤＭ信号ＶＢＢ（ｔ）へと変換される。複素アナログＯＦＤＭ信号ＶＢＢ（ｔ）は、直交変調ミクサ１０７と局発発振器１０８とで構成される直交変調器１０９により直交変調されたＲＦ信号ＶＲＦ（ｔ）に変換される。その後、ＲＦ信号ＶＲＦ（ｔ）は、ＲＦ増幅器１１０によって高出力に増幅され、アンテナ１１１から空間に送出される。
上記構成のＯＦＤＭ無線通信システムは、一般に周波数利用効率が良く、適切なガードインターバルを設けることにより、マルチパスフェージングに強いなどの優れた特長を有する。
また、ＯＦＤＭ無線通信システムに用いる送信機の構成は、特許文献１にも記載されている。特許文献１に記載された構成では、上記非特許文献１と異なり、信号を同相成分と直交成分に分けたのち、直交変調器にてＯＦＤＭ信号に合成して、送信アンプ（ＲＦ増幅器）に入力している。
【先行技術文献】
【特許文献】
【０００３】
【特許文献１】特開平１１−２８９３１２号公報
【非特許文献】
【０００４】
【非特許文献１】伊丹誠著、「わかりやすいＯＦＤＭ技術」オーム社  ２００５年１１月
【発明の概要】
【発明が解決しようとする課題】
【０００５】
しかしながら、特許文献１または非特許文献１のＯＦＤＭ通信システムでは、ＲＦ増幅器に入力されるＲＦ信号ＶＲＦ（ｔ）は多数のキャリアを含んだマルチキャリア変調信号であり、信号の平均電力に対するピーク電力の比（ＰＡＰＲ：Ｐｅａｋ  ｔｏ  Ａｖｅｒａｇｅ  Ｐｏｗｅｒ  Ｒａｔｉｏ）が大きくなる。このため、線形に信号を増幅するためにはＲＦ増幅器の飽和出力電力が信号のピーク電力より大きくなるように飽和出力電力に対して十分大きなバックオフを持たせて動作させる必要が生ずる。換言すれば、大きな飽和出力が得られるＲＦ増幅器を用い、かつ、大きなバックオフ点でＲＦ増幅器を動作させる必要がある。図１１は、無線通信システムにおける増幅器の出力電力および電力効率特性の一例である。当該図面に示すように、一般に増幅器の電力効率は、飽和出力電力レベルで動作させる場合に最大となり、飽和から大きなバックオフを持たせて動作させると著しく低下する。この結果からくる消費電力の増加が無線通信システムにとって問題となる。また、無線通信システムの構築に大きな飽和出力電力を有する高出力増幅器が必要となるが、ミリ波などの極めて短い波長を用いる無線通信システムでは、高効率・高出力増幅器の実現が困難となる問題もある。以上のことから、無線通信システム中でのＯＦＤＭの様な高い周波数利用効率（ｂｉｔ／Ｈｚ）を維持しながら、消費電力を下げることが著しく難しく、１ｂｉｔあたりの消費電力が高いという課題がある。
既存のＯＦＤＭ通信システムと異なる方式を使用するマルチキャリア通信システムにおいても、上記ＯＦＤＭ通信システムと同様に、スペクトルの広がりを抑えること、相互歪み成分の影響を抑えること等が要求されるために、ＰＡＰＲを大きくとる必要がある。そのため、そのマルチキャリア通信システムも大きなバックオフ点でＲＦ増幅器を動作させる必要がある。従って、ＯＦＤＭ通信システムと同様、増幅器の消費電力が増加する問題がある。その結果、無線通信システム中での１ｂｉｔあたりの消費電力を低下させることができないと云う問題がある。
本発明は、ＯＦＤＭ通信システムに代表されるマルチキャリア変調信号を用いる通信システムにおいて、送信機に用いるＲＦ増幅器に大きなバックオフを持たせる必要がなく、その結果、低い飽和出力電力のＲＦ増幅器を使用することが可能となり、かつ、そのＲＦ増幅器を高い電力効率で使用でき、その結果送信機の消費電力を著しく低減でき、１ｂｉｔあたりの消費電力を下げられる無線通信システムを提供する。
【課題を解決するための手段】
【０００６】
本発明に係る無線通信システムは、入力デジタル信号列を直並列変換して複数のＤＡ変換器に入力して、当該複数のＤＡ変換器から得られた夫々のアナログ信号を、直交変調されたＲＦ信号に変調する複数の直交変調ミクサと、前記複数の直交変調ミクサによって直交変調された複数のＲＦ信号を個別にサブキャリアの周波数に対応させて増幅する複数のＲＦ増幅器とを備えるマルチキャリア通信を行なう送信機を有する。
【発明の効果】
【０００７】
本発明によれば、マルチキャリア変調信号を用いる通信システムにおいて、送信機に用いるＲＦ増幅器のバックオフを軽減し、高い周波数利用効率を維持しながら高い電力効率を実現する送信機、無線通信システムおよびマルチキャリア通信方法を提供できる。またこの効果を得るにあたり、共通の周波数を有する局発発振器あるいは、共通の局発発振器を利用することが可能になる。
【図面の簡単な説明】
【０００８】
図１は、本発明の第１の実施の形態における無線通信システムの送信機の構成図である。
図２は、本発明の第３の実施の形態における無線通信システムの送信機の構成図である。
図３は、本発明の第４の実施の形態における無線通信システムの送信機の構成図である。
図４は、本発明の第５の実施の形態における無線通信システムの送信機の構成図である。
図５は、本発明の第６の実施の形態における無線通信システムの送信機の構成図である。
図６は、本発明に係るウインドウイング処理回路を装荷した場合の信号の様子を示す説明図である。
図７は、本発明の第７の実施の形態における無線通信システムの送信機の構成図である。
図８は、本発明の第８の実施の形態における無線通信システムの送信機の構成図である。
図９は、本発明の第９の実施の形態における無線通信システムの送信機の構成図である。
図１０は、ＯＦＤＭ無線通信システムに用いる送信機の一般的な構成図である。
図１１は、増幅器の出力電力および電力効率特性の一例を示す説明図である。
【発明を実施するための形態】
【０００９】
本発明の実施の形態について、図を参照しながら説明する。
（第１の実施の形態）
図１は、本発明の第１の実施の形態における無線通信システムの送信機の構成図である。
図示された送信機は、入力デジタル信号列ｔ｛Ｄ｝を複素シンボル列に変換するシンボルマッパ１と、生成された複素シンボル列を並列複素シンボル（Ｓ）へと変換する直並列変換器２と、並列複素シンボル（Ｓ）に含まれる各複素シンボル（ｓ０〜ｓＮ−１）のそれぞれに対して個別の周波数を割り当てる周波数マッパ３と、割り当てられた周波数に対応した位相回転を与えたそれぞれの複素デジタル信号標本列（ｔ｛ｖ０｝〜ｔ｛ｖＮ−１｝）を生成するデジタル信号処理回路４と、生成した複素デジタル信号標本列（ｔ｛ｖ０｝〜ｔ｛ｖＮ−１｝）のそれぞれを複素アナログ信号（ＶＢＢ．０（ｔ）〜ＶＢＢ．Ｎ−１（ｔ））へと変換する複数のＤＡ変換器５と、各複素アナログ信号（ＶＢＢ．０（ｔ）〜ＶＢＢ．Ｎ−１（ｔ））のそれぞれから実数部が直交変調されたＲＦ信号（ＶＲＦ．０（ｔ）〜ＶＲＦ．Ｎ−１（ｔ））を生成する複数の直交変調ミクサ６と、各直交変調ミクサに局発信号を供給する複数の局発発振器７と、各直交変調されたＲＦ信号（ＶＲＦ．０（ｔ）〜ＶＲＦ．Ｎ−１（ｔ））をそれぞれ増幅する複数のＲＦ増幅器８と、増幅されたそれぞれのＲＦ信号を空中に送出する複数のアンテナ９とから構成されている。
ここで、デジタル信号処理回路４は、信号処理手段として動作する。また、ＤＡ変換器５は、ＤＡ変換手段として動作する。また、直交変調ミクサ６と局発発振器７との組は、１組の直交変調手段ないし回路として動作する。また、ＲＦ増幅器８は、ＲＦ増幅手段ないし回路として動作する。
次に、動作について説明する。
入力デジタル信号列ｔ｛Ｄ｝は、シンボルマッパ１および直並列変換器２により、Ｎ個の複素シンボル（ｓ０〜ｓＮ−１）を含む並列複素シンボル（ｓ）に変換される。次に、周波数マッパ３により各複素シンボル（ｓ０〜ｓＮ−１）に個別の周波数（ｆ０，ｆ１，・・・，ｆｋ，・・・，ｆＮ−１）が割り当てられ、さらに、デジタル信号処理回路４により、各割り当てられた周波数に対応した位相回転を与えた複素デジタル信号標本列ｔ（ｖ）を生成する。以上を式で表すと、
0005871210.tif 000002
ここで、
0005871210.tif 000003
0005871210.tif 000004
このとき、（３）および（５）の中で位相項として示されているｆｋ（１＜ｋ＜Ｎ−１）が、この操作で与えられる周波数に対応している。上記Ｎ個の複素デジタル信号標本列（ｔ｛ｖ０｝〜ｔ｛ｖＮ−１｝）は、それぞれＤＡ変換器５にて複素アナログ信号（ＶＢＢ．０（ｔ）〜ＶＢＢ．Ｎ−１（ｔ））に変換される。各複素アナログ信号（ＶＢＢ．０（ｔ）〜ＶＢＢ．Ｎ−１（ｔ））は、更に直交変調ミクサ６と局発発振器７とで直交変調されたＲＦ信号（ＶＲＦ．０（ｔ）〜ＶＲＦ．Ｎ−１（ｔ））に変換される。直交変調されたＲＦ信号（ＶＲＦ．０（ｔ）〜ＶＲＦ．Ｎ−１（ｔ））は、ＲＦ増幅器８にてそれぞれ増幅され、アンテナ９から空中に送出される。
以上の動作原理から、各ＲＦ増幅器８で増幅される直交変調された夫々のＲＦ信号（ＶＲＦ．０（ｔ）〜ＶＲＦ．Ｎ−１（ｔ））は、シングルキャリア変調信号となっている。シングルキャリア変調としては、例えばＢＰＳＫ、ＱＰＳＫ、８ＰＳＫ、１６ＱＡＭ、６４ＱＡＭが適用可能である。
これにより、既存のＯＦＤＭなどのマルチキャリアを使用する無線通信システムにおいて問題となったマルチキャリア信号を増幅する必要性がなくなり、増幅器におけるＰＡＰＲが増加する問題が軽減される。
この結果、大きな飽和出力のＲＦ増幅器が不要となり、また、ＰＡＰＲの増加に伴うＲＦ増幅器の効率低下の問題を回避できる。すなわち、小さな出力電力のＲＦ増幅器を使用することが可能となり、かつ、そのＲＦ増幅器を高い電力効率で使用でき、その結果  周波数利用効率を維持しつつ送信機の消費電力を低減でき、高い周波数利用効率（ｂｉｔ／Ｈｚ）を維持しながら、消費電力を下げ、１ｂｉｔあたりの消費電力を下げられる利点がある。
（第２の実施の形態）
第２の実施の形態の無線通信システムは、図１の構成において、各並列複素シンボルのそれぞれに割り当てる個別の周波数を、シンボル周期Ｔの逆数で定義される基本周波数ｆ０（＝１／Ｔ）の整数倍でなる周波数ｆｋ＝ｋｆ０（ｋは整数）としている点で第１の実施形態と異なっている。
この場合、行列（Ｆ−１）は逆離散フーリエ変換行列（ＩＤＦＴ）になり、行列（Ｆ）は離散フーリエ変換行列（ＤＦＴ）になる。その結果、式（１）〜（５）は以下のように変更して表せる。
0005871210.tif 000005
ここで、
0005871210.tif 000006
0005871210.tif 000007
ここで、生成されたＮ個の複素デジタル信号標本列（ｔ｛ｖ０｝〜ｔ｛ｖＮ−１｝）を標本時間ごとに加算すると既存のＯＦＤＭ変調信号と同一の信号となる。このことから、本発明により生成したＲＦ信号は、周波数利用効率が良く、マルチパスフェージングに強いなどの既存のＯＦＤＭ変調信号の優れた特長を有する。
一方、本発明では、複素デジタル信号標本列（ｔ｛ｖ０｝〜ｔ｛ｖＮ−１｝）のそれぞれから直交変調されたＲＦ信号（ＶＲＦ．０（ｔ）〜ＶＲＦ．Ｎ−１（ｔ））を生成し、各ＲＦ信号（ＶＲＦ．０（ｔ）〜ＶＲＦ．Ｎ−１（ｔ））をそれぞれ個別に増幅することができ、既存のＯＦＤＭ変調信号で問題となった大きなＰＡＰＲの問題が軽減される。その結果、ＲＦ増幅器に大きなバックオフを持たせる必要がなく、実現が容易な低出力な増幅器を用いることができ、また、高い電力効率で動作させることができ、高い周波数利用効率（ｂｉｔ／Ｈｚ）を維持しながら、消費電力を下げ、１ｂｉｔあたりの消費電力を下げられる利点がある。
以上のように、第２の実施形態に係る無線通信システムでは、既存のＯＦＤＭ変調信号を用いた無線通信システムの優れた特長を有しながら、単一増幅器を用いる欠点である大きなＰＡＰＲによる送信機の効率低下の問題を回避できる。
（第３の実施の形態）
図２は、本発明の第３の実施の形態における無線通信システムの送信機の構成図である。
図１の構成と異なる点は、Ｎ個の直交変調ミクサ６に局発信号を供給する局発発振器を共通の局発信号を生成する単一の共通局発発振器１０で構成していることである。
次に、動作について説明する。本実施の形態の無線通信システムの送信機では並列複素シンボル（Ｓ）に含まれる各複素シンボル（ｓ０〜ｓＮ−１）のそれぞれに対して周波数マッパ３によって個別の周波数（ｆ０，ｆ１，・・・，ｆｋ，・・・，ｆＮ−１）が割り当てられ、さらに、デジタル信号処理回路４により各割り当てられた周波数に対応した位相回転を与えた複素デジタル信号標本列（ｔ｛ｖ０｝〜ｔ｛ｖＮ−１｝）を生成している。
このため、図２の各直交変調ミクサ６に供給する局発信号は、同一の周波数でよい。その結果、一つの共通局発発振器１０を用いることが可能となる。局発発振器が１つでよいので小型化が可能であり、かつ、各直交変調ミクサ６に供給する局発信号間の周波数偏差を考慮する必要がないため構成が簡単になる利点がある。
（第４の実施の形態）
図３は、本発明の第４の実施の形態における無線通信システムの構成図である。図１および図２の構成と比較すると、各ＲＦ増幅器８で個別に増幅されたＲＦ信号を合成するための複数の電力合成器１１、および各電力合成器１１に対応して合成したＲＦ信号を空中に送出する複数のアンテナ１２を備えた点が異なる。
次に、動作について説明する。各ＲＦ増幅器８で個別に増幅された複数のＲＦ信号を電力合成器１１にて合成した後にアンテナ１２から空中に送出することにより、使用するアンテナの削減が可能となる。図３に示した構成は、複数の電力合波器を用いる場合の例を示しているが、各ＲＦ増幅器８で個別に増幅されたＲＦ信号の全てを１つの電力合成器で合成し、１つのアンテナから空中に送出するものであってもよい。換言すれば、電力合成器１１の個数ｎは、ＲＦ増幅器８の個数となる入力系統数＞ｎ≧１である。
以上のように、第４の実施形態に係る無線通信システムでは、既存のＯＦＤＭ変調信号を用いた無線通信システムの優れた特長を有しながら、単一増幅器を用いる欠点である大きなＰＡＰＲによる送信機の効率低下の問題を回避でき、且つ、アンテナの個数を所望の個数まで削減できる。
（第５の実施の形態）
図４は、本発明の第５の実施の形態における無線通信システムの構成図である。図１ないし図３と比較すると、図４における無線通信システムの送信機では、デジタル信号処理回路４及び複数のＤＡ変換器５の間にガードインターバル回路１３を装荷する点が異なる。
次に、動作について説明する。ガードインターバル回路１３を装荷することにより、デジタル信号処理回路４にて生成した複素デジタル信号標本列（ｔ｛ｖ０｝〜ｔ｛ｖＮ−１｝）のそれぞれに、適切なガードインターバル（ＧＩ）が付加される。付加したＧＩにより、マルチパス干渉波の影響を低減することが可能となる。
（第６の実施の形態）
図５は、本発明の第６の実施の形態における無線通信システムの構成図である。図４と比較すると、ガードインターバル回路１３と複数のＤＡ変換器５との間に、ウインドウイング処理回路１４を装荷する点が異なる。図６はウインドウイング処理回路１４を装荷した場合の信号の様子を示す図である。
図４に示すように、ガードインターバル回路（ＧＩ）１３を付加した場合、図６に示すように、連続する信号間（図ではＡ点）に不連続が生じる。このような不連続が生じるとスプリアス成分が発生することになる。これに対し、図６に示すように、ウインドウイング処理回路１４を設け、ランプ状（傾斜状）のウインドウイング処理を行うと不連続部分の振幅が小さくなり、滑らかになる。これにより、信号のスプリアス成分の抑制やピーク電力の削減等が可能となる。
（第７の実施の形態）
図７は、本発明の第７の実施の形態における無線通信システムの送信機の構成図である。
図示された送信機は、入力デジタル信号列ｔ｛Ｄ｝を複素シンボル列に変換するシンボルマッパ１と、生成された複素シンボル列を並列複素シンボル（Ｓ）へと変換する直並列変換器２と、並列複素シンボル（Ｓ）に含まれる各複素シンボル（ｓ０〜ｓＮ−１）のそれぞれに対して個別の周波数を割り当てる周波数マッパ３と、割り当てられた周波数に対応した位相回転を与えたそれぞれの複素デジタル信号標本列を生成するデジタル信号処理回路４と、各複素デジタル信号標本列の帯域を制限するフィルタ１５と、生成した複素デジタル信号標本列のそれぞれを複素アナログ信号（ＶＢＢ．０（ｔ）〜ＶＢＢ．Ｎ−１（ｔ））へと変換するＤＡ変換器５と、各複素アナログ信号（ＶＢＢ．０（ｔ）〜ＶＢＢ．Ｎ−１（ｔ））のそれぞれから直交変調されたＲＦ信号（ＶＲＦ．０（ｔ）〜ＶＲＦ．Ｎ−１（ｔ））を生成する複数の直交変調ミクサ６と、各直交変調ミクサに局発信号を供給する複数の局発発振器７と、各直交変調されたＲＦ信号（ＶＲＦ．０（ｔ）〜ＶＲＦ．Ｎ−１（ｔ））をそれぞれ増幅する複数のＲＦ増幅器８と、増幅されたそれぞれのＲＦ信号を空中に送出するアンテナ９とから構成されている。即ち、フィルタ１５を設けた点で、第７の実施の形態に係る送信機は、第１の実施の形態に係る送信機とは異なっている。
次に、動作について説明する。
入力デジタル信号列ｔ｛Ｄ｝は、シンボルマッパ１および直並列変換器２により、Ｎ個の複素シンボル（ｓ０〜ｓＮ−１）に変換される。次に、周波数マッパ３により各複素シンボル（ｓ０〜ｓＮ−１）に個別の周波数（ｆ０，ｆ１，・・・，ｆｋ，・・・，ｆＮ−１）が割り当てられ、さらに、デジタル信号処理回路４により、各割り当てられた周波数に対応した位相回転を与えて複素デジタル信号標本列（ｔ｛ｖ０｝〜ｔ｛ｖＮ−１｝）を生成する。このとき各複素シンボルがそれぞれ別の周波数領域に展開され、かつ個別に復調可能であるシングルキャリア信号が生成できるように位相回転がそれぞれに与えられ、その結果Ｎ個の複素デジタル信号標本列（ｔ｛ｖ０｝〜ｔ｛ｖＮ−１｝）が生成される。さらに各複素デジタル信号標本列（ｔ｛ｖ０｝〜ｔ｛ｖＮ−１｝）は、フィルタ１５により帯域が制限される。このときにフィルタ１５として、例えばロールオフフィルタが用いられる。さらに、フィルタリングされた各複素デジタル信号標本列（ｔ｛ｖ０｝〜ｔ｛ｖＮ−１｝）はそれぞれＤＡ変換器５にて複素アナログ信号（ＶＢＢ．０（ｔ）〜ＶＢＢ．Ｎ−１（ｔ））に変換される。複素アナログ信号（ＶＢＢ．０（ｔ）〜ＶＢＢ．Ｎ−１（ｔ））は、さらに直交変調ミクサ６と局発発振器７とで直交変調されたＲＦ信号（ＶＲＦ．０（ｔ）〜ＶＲＦ．Ｎ−１（ｔ））に変換される。直交変調されたＲＦ信号（ＶＲＦ．０（ｔ）〜ＶＲＦ．Ｎ−１（ｔ））はさらにＲＦ増幅器８にてそれぞれ増幅され、アンテナ９から空中に送出される。
以上の動作原理から、各ＲＦ増幅器８で増幅される直交変調されたＲＦ信号（ＶＲＦ．０（ｔ）〜ＶＲＦ．Ｎ−１（ｔ））は、シングルキャリア変調信号となっている。シングルキャリア変調としては、例えばＢＰＳＫ、ＱＰＳＫ、８ＰＳＫ、１６ＱＡＭ、６４ＱＡＭが適用可能である。
これにより、既存のＯＦＤＭなどのマルチキャリアを使用する通信システムにおいて問題となったマルチキャリア信号を増幅する必要性がなくなり、増幅器におけるＰＡＰＲが増加する問題が軽減される。この結果、大きな飽和出力のＲＦ増幅器が不要となり、また、ＰＡＰＲの増加に伴うＲＦ増幅器の効率低下の問題を回避できる。すなわち、小さな出力電力のＲＦ増幅器を使用することが可能となり、かつ、そのＲＦ増幅器を高い電力効率で使用でき、その結果送信機の消費電力を低減できる利点がある。
また、フィルタをサブキャリアごとに使うことによって、各サブキャリアのサイドローブが低減されるため、サブキャリア間隔を狭くしても、サブキャリアをそれぞれシングルキャリア信号として扱うことができる。
（第８の実施の形態）
図８は、本発明の第８の実施の形態における無線通信システムの送信機の構成図である。図７の構成と異なる点は、Ｎ個の直交変調ミクサ６に局発信号を供給する局発発振器を単一の共通局発発振器１０で構成していることである。
次に、動作について説明する。本発明の無線通信システムの送信機では各並列複素シンボルｓｋのそれぞれに対して個別の周波数（ｆ０，ｆ１，・・・，ｆｋ，・・・，ｆＮ−１）が割り当てられている。
さらに、デジタル信号処理回路４により、各複素シンボルがそれぞれ固別の周波数領域に展開され、かつ個別に復調可能なシングルキャリア信号が生成可能なように位相回転が与えられ、その結果、Ｎ個の複素デジタル信号標本列（ｔ｛ｖ０｝〜ｔ｛ｖＮ−１｝）が生成される。このため、図８の各直交変調ミクサ６に供給する局発信号は同一の周波数でよい。その結果、一つの共通局発発振器１０を用いることが可能となる。局発発振器が１つでよいので小型化が可能であり、かつ、各直交変調ミクサ６に供給する局発信号間の周波数偏差を考慮する必要がないため構成が簡単になる利点がある。
（第９の実施の形態）
図９に示された第９の実施の形態に係る送信機は、複数の複素デジタル信号標本列ｔ｛ｖｋ｝を生成する機能を有する信号処理回路４’に、いずれか一つの複素デジタル信号標本列ｔ｛ｖｋ｝を選択する制御部を設けている点で、図２に示された送信機と異なっている。
例えば、信号処理回路４’内に、ＯＦＤＭとＯＦＤＭではないマルチキャリア通信システムに対応した複素デジタル信号標本列を出力できる機能を予め回路内に用意する。これにより、制御信号を用いて状況に応じた使い分けが可能になり、１つの無線機が２つの方式をサポートすることが実現できる。
以上説明したように、本発明における無線通信システムの送信機では、Ｎ個の複素シンボルのそれぞれに対して個別の周波数を割り当て、さらに直交変調し、各直交変調したＲＦ信号をそれぞれ個別に増幅する構成としている。
上記構成とすることにより、多数のサブキャリア信号を含むマルチキャリア信号を１つの増幅器で増幅をする必要がなくなり、増幅器におけるＰＡＰＲが増加する問題が軽減される。この結果、大きな飽和出力のＲＦ増幅器が不要となり、また、ＰＡＰＲの増加に伴うＲＦ増幅器の効率低下の問題を回避できる。すなわち、小さな出力電力のＲＦ増幅器を使用することが可能となり、かつ、そのＲＦ増幅器を高い電力効率で使用でき、その結果  周波数利用効率を維持しつつ送信機の消費電力を著しく低減できる。
尚  以上に述べた発明の実施の形態においては、ＯＦＤＭ通信システムにおける信号処理回路４、信号処理回路４’と、実施の形態７や８で示したマルチキャリア通信システムにおけるフィルタ１５は、デジタル回路で構成することができ、回路の有無や順序の変更が可能である。他方、ＲＦ増幅器は、直交変調器よりも後段に設けることが望ましい。
また、本発明の具体的な構成は前述の実施の形態に限られるものではなく、この発明の要旨を逸脱しない範囲の変更があってもこの発明に含まれる。
この出願は、２０１０年１月２９日に出願された日本出願特願２０１０−０１７６３６号を基礎とする優先権を主張し、その開示の全てをここに取り込む。
【符号の説明】
【００１０】
１        シンボルマッパ（シンボルマッピング手段）
２        直並列変換器（直並列変換手段）
３        周波数マッパ（周波数マッピング手段）
４，４’  信号処理回路（信号処理手段）
５        ＤＡ変換器（ＤＡ変換手段）
６        直交変調ミクサ（直交変調手段の一部）
７        局発発振器（直交変調手段の一部）
８        ＲＦ増幅器（ＲＦ増幅手段）
９，１２  アンテナ
１０      共通局発発振器（共通局発発振手段）
１１      電力合成器（電力合成手段）
１３      ガードインターバル回路（ガードインターバル生成手段）
１４      ウインドウ処理回路（ウインドウ処理手段）
１５      フィルタ（フィルタ手段）
１００    シンボルマッパ
１０１    直並列変換器
１０２    周波数マッパ
１０３    逆離散フーリエ変換器
１０４    並直列変換器
１０５    ガードインターバル回路
１０６    ＤＡ変換器
１０７    直交変調ミクサ
１０８    局発発振器
１０９    ＲＦ増幅器
１１１    アンテナ
【図１】
0005871210.tif 000008
【図２】
0005871210.tif 000009
【図３】
0005871210.tif 000010
【図４】
0005871210.tif 000011
【図５】
0005871210.tif 000012
【図６】
0005871210.tif 000013
【図７】
0005871210.tif 000014
【図８】
0005871210.tif 000015
【図９】
0005871210.tif 000016
【図１０】
0005871210.tif 000017
【図１１】
0005871210.tif 000018